(57)【要約】【課題】河川において、何等かの理由により油が流出してしまった場合に、上流から流れてくる浮遊油を吸着して確実に回収するための、油流出防止装置を提供する。【解決手段】本発明に係る油流出防止装置は、網状に形成されたネット体に、複数のポケット部を隣接して布設し、このポケット部に油吸着マットを収容している。また、ネット体は、河川に設置されているオイルフェンスに取り付けられている。さらに、ネット体のポケット部は、上側の開放部分に閉止部を備えている。また、ネット体のポケット部は、上下に二段に配置している。加えて、ネット体のポケット部は、前後に二重に配置している。そして、ネット体のポケット部は、前側のポケット部と後側のポケット部を、縦方向と横方向にずらした状態に配置している。【選択図】図１
2008240407.tif 000002
【特許請求の範囲】
【請求項１】
網状に形成されたネット体に、複数のポケット部を隣接して布設し、このポケット部に油吸着マットを収容したことを特徴とする油流出防止装置。
【請求項２】
ネット体は、河川に設置されているオイルフェンスに取り付けられている請求項１に記載の油流出防止装置。
【請求項３】
ネット体のポケット部は、上側の開放部分に閉止部を備えている請求項１または2に記載の油流出防止装置。
【請求項４】
ネット体のポケット部は、上下に二段に配置している請求項１乃至３のいずれかに記載の油流出防止装置。
【請求項５】
ネット体のポケット部は、前後に二重に配置している請求項１乃至４のいずれかに記載の油流出防止装置。
【請求項６】
ネット体のポケット部は、前側のポケット部と後側のポケット部を、縦方向にずらした状態に配置している請求項５に記載の油流出防止装置。
【請求項７】
ネット体のポケット部は、前側のポケット部と後側のポケット部を、横方向にずらした状態に配置している請求項５に記載の油流出防止装置。
【発明の詳細な説明】
【技術分野】
【０００１】
本発明は、河川において、何等かの理由により油が流出してしまった場合に、上流から流れてくる浮遊油を吸着して確実に回収するための、油流出防止装置に関するものである。
【背景技術】
【０００２】
河川において油が流出したときには、従来は、図９(ａ)に示すように、複数の油吸着マットを水面に水平に浮かべ、この水平に浮かべた油吸着マットにより、上流から流れてくる浮遊油を吸着して回収していた。
【特許文献１】特になし
【発明の開示】
【発明が解決しようとする課題】
【０００３】
しかしながら、このような油吸着マットを水面に浮かべる従来の手法においては、図９(ｂ)に示すように、水面にゴミ等が浮いている場合、これらのゴミ等が油吸着マットの下側に入り込み、油吸着マットが水面から離れた状態になり易いため、油吸着マットによる油の吸着効果が十分に得られていなかった。
【０００４】
すなわち、河川における水面は、河川の地形や水量、風等の様々な要因により水面が上下に変動し、まるで波が生じているような状態になり易いものである。
【０００５】
このように水面が上下に変動している状態では、水面にゴミ等が浮いていると、油吸着マットがこれらのゴミ等の上に乗り上げたような状態となって水面から離れてしまうため、水面の浮遊油を吸着することができなくなってしまうのである。
【０００６】
また、流れの早い河川においては、水面が上方に変動したときに、水流と共に浮遊油が油吸着マットの上を通過してしまうような事態が生じ、油吸着マットにより水面の浮遊油を充分に吸着して回収できていないのが実情である。
【０００７】
しかも、油吸着マットは固定されずに水面に浮遊しているだけであるので、水流によって河川の下流側に流されてしまい、殆どの油吸着マットが河川の下流側に移動させられてしまうという問題点を有していた。
【０００８】
そこで、本発明は如上のような従来存した諸事情に鑑み創出されたもので、河川に設置されているオイルフェンスにポケット部を備えたネット体を取り付け、このネット体のポケット部に複数の油吸着マットを立設した状態に収容することで、これらの油吸着マットにより水面の浮遊油を充分に吸着して確実に回収すると共に、河川の水流によって油吸着マットが下流側に流されることなく、所定の位置に常時留めておくことができる油流出防止装置を提供することを目的とする。
【課題を解決するための手段】
【０００９】
本発明に係る油流出防止装置は、網状に形成されたネット体に、複数のポケット部を隣接して布設し、このポケット部に油吸着マットを収容したことで、上述した課題を解決した。
【００１０】
また、ネット体は、河川に設置されているオイルフェンスに取り付けられていることで、同じく上述した課題を解決した。
【００１１】
さらに、ネット体のポケット部は、上側の開放部分に閉止部を備えていることで、同じく上述した課題を解決した。
【００１２】
また、ネット体のポケット部は、上下に二段に配置していることで、同じく上述した課題を解決した。
【００１３】
加えて、ネット体のポケット部は、前後に二重に配置していることで、同じく上述した課題を解決した。
【００１４】
また、ネット体のポケット部は、前側のポケット部と後側のポケット部を、縦方向にずらした状態に配置していることで、同じく上述した課題を解決した。
【００１５】
この他、ネット体のポケット部は、前側のポケット部と後側のポケット部を、横方向にずらした状態に配置していることで、同じく上述した課題を解決した。
【発明の効果】
【００１６】
本発明に係る油流出防止装置は、網状に形成されたネット体に、複数のポケット部を隣接して布設し、このポケット部に油吸着マットを収容したことから、この油吸着マットにより水面の浮遊油を充分に吸着して確実に回収することができる。
【００１７】
すなわち、ネット体は、河川に設置されているオイルフェンスに取り付けられており、このネット体のポケット部に油吸着マットを収容したことから、河川の水流に対し、油吸着マットを立設した状態に配置することができる。
【００１８】
その結果、河川の水流が油吸着マットの広い板面部分に当たり、水面の浮遊油が油吸着マットに必ず接触することから、この油吸着マットにより水面の浮遊油を充分に吸着して確実に回収できるのである。
【００１９】
また、ネット体は、河川に設置されているオイルフェンスに取り付けられており、このネット体にポケット部を布設し、ポケット部に油吸着マットを収容したことから、河川の水流によって油吸着マットが下流側に流されることがなく、油吸着マットをオイルフェンスの位置に常時留めておくことができる。
【００２０】
さらに、ネット体のポケット部は、上側の開放部分に閉止部を備えていることから、ポケット部に油吸着マットを収容し、閉止部を閉じた状態にしたときは、油吸着マットの広い板面部分に河川の水流が勢い良く衝突している場合であっても、油吸着マットがポケット部の上側の開放部分から抜け出てしまう事態の発生を阻止している。
【００２１】
尚、油吸着マットが河川の水中に没している場合であっても、閉止部を閉じた状態にしたときには、油吸着マットがポケット部の上側の開放部分から抜け出てしまう事態の発生を阻止できるのである。
【００２２】
そして、油吸着マットが相当量の浮遊油を吸着した時には、閉止部をワンタッチで開いた状態にし、油吸着マットをポケット部から取り外して新しい油吸着マットに簡単に交換することができる。
【００２３】
このように、閉止部を介して、ポケット部への油吸着マットの取り付け・取り外しが容易で、油吸着マットの交換を簡単に行うことができる。
【００２４】
また、ネット体への複数枚の油吸着マットの取り付けを、短時間の内に行うことができる。
【００２５】
加えて、ネット体のポケット部は、上下に二段に配置し、この二段のポケット部にそれぞれ油吸着マットを収容していることから、河川の水流に対し、二段の油吸着マットを立設した状態に取り付けることできる。
【００２６】
また、ネット体のポケット部は、前後に二重に配置し、この二重のポケット部にそれぞれ油吸着マットを収容していることから、河川の水流に対し、二重の油吸着マットを立設した状態に取り付けることできる。
【００２７】
そして、ネット体のポケット部は、前側のポケット部と後側のポケット部を、縦方向にずらした状態に配置していることから、前側のポケット部に収容している油吸着マットの端部近傍部分と、後側のポケット部に収容している油吸着マットの端部近傍部分同士が、上下方向において重なり合った状態を維持することができる。
【００２８】
そのため、前側に位置している上下のポケット部に収容している油吸着マット同士に隙間が存在する場合であっても、後側に位置しているポケット部に収容している油吸着マットがその隙間部分に存在することとなり、前側の油吸着マット同士の隙間を擦り抜けてしまった浮遊油が、後側の油吸着マットに必ず接触するため、この後側の油吸着マットにより水面の浮遊油を完全に吸着して確実に回収することができる。
【００２９】
さらに、ネット体のポケット部は、前側のポケット部と後側のポケット部を、横方向にずらした状態に配置していることから、前側のポケット部に収容している油吸着マットの端部近傍部分と、後側のポケット部に収容している油吸着マットの端部近傍部分同士が、左右方向において重なり合った状態を維持することができる。
【００３０】
そのため、前側に位置している左右のポケット部に収容している油吸着マット同士に隙間が存在する場合であっても、後側に位置しているポケット部に収容している油吸着マットがその隙間部分に存在することとなり、前側の油吸着マット同士の隙間を擦り抜けてしまった浮遊油が、後側の油吸着マットに必ず接触するため、この後側の油吸着マットにより水面の浮遊油を完全に吸着して確実に回収することができる。
【００３１】
この他、ポケット部に収容された油吸着マット自体の重量により、一部が水没しているネット体が浮き上がってしまうことがなく、オイルフェンスにネット体を安定した状態に設置することができる。
【００３２】
また、流出した油を油吸着マットで回収し、ゴミ等はポケット部のネット部分により捕集する一方、河川の水流は通過させることになるので、オイルフェンスの使用時に、低粘度の油によるフェンス近辺の乱流による油の拡散現象である、所謂エントレインメント現象の発生を防止することができる。すなわち、水面に存在する浮遊油の拡散を防いで、油吸着マットにより浮遊油を吸着し易い状態としているのである。
【００３３】
さらに、ネット体を、硬質の材料を用いて形成したときには、ネット体を繰り返し使用することができる。
【発明を実施するための最良の形態】
【００３４】
以下に、本発明を実施するための最良の形態を、図面を参照して説明する。
【００３５】
本発明に係る油流出防止装置Aは、図１に示すように、格子状に形成されて河川の所定の位置に立設状態に固定されているオイルフェンスＲ等に設置されるものでる。
【００３６】
この油流出防止装置Aは、網状に形成されたネット体Ｑに、複数のポケット部Ｐを隣接して布設し、このポケット部Ｐに油吸着マット３を収容している。
【００３７】
油吸着マット３を収容するポケット部Ｐは、例えば、方形状のネット面1を、所定の空間を保持するようにネット体Ｑに取り付けて形成されている。
【００３８】
オイルフェンスＲ等に設置されるネット体Ｑは、図２に示すように、周縁部が鉛入りロープとなっている、例えば、縦幅３ｍ、横幅８ｍ程度の矩形状に形成されている。
【００３９】
このネット体Ｑにおける、河川の水流が当たる略中央部分には、複数のポケット部Ｐが互いに水平状態に隣接し、図１・図２に示すように、例えば、上下２段の帯状となるように布設されている。
【００４０】
尚、図３に示すように、ネット体Ｑにポケット部Ｐを横１列の帯状に布設しても良い。さらに、水面の上下の変動に応じて、ネット体Ｑにポケット部Ｐを上下３段の帯状に布設しても良いし、また、上下４段以上の帯状に布設しても良い。
【００４１】
ポケット部Ｐを構成するネット面1は、図３に示すように、ネット体Ｑの素材と同様の、例えば、ポリエチレン製等の紐素材をネット状に編み込んで形成されている。また、ネット面1は、例えば、縦横の幅員が６０ｃｍ程度の矩形状に形成されている。
【００４２】
そして、図３・図４に示すように、このネット面1の左右側縁部と下縁部をネット体Ｑに縫合し、ネット面1の上縁部側を開放状態にして、ネット体Ｑにポケット部Ｐを形成しているのである。
【００４３】
尚、ネット体Ｑやネット面1の材質として、柔軟性のある取り扱いが便利なポリエチレンを使用する替わりに、繰り返し使用可能な硬質の材料を使用しても良い。
【００４４】
そして、図５に示すように、これらのポケット部Ｐには、それぞれ、油吸着マット３が収容される。
【００４５】
油吸着マット３は、図５に示すように、当該ポケット部Ｐの容積と略同一の、例えば、縦横の幅員が５０ｃｍ、厚さ５ｃｍ程度の矩形マット状に形成されている。また、油吸着マット３は、例えば、綿状部材等を用いて形成されている。
【００４６】
油吸着マット３を収容するポケット部Ｐは、図４・図５に示すように、その上側の開放部分に、閉止部２を備えている。この閉止部２は、例えば、雌雄のファスナーを用いて形成されている。
【００４７】
具体的には、この閉止部２は、例えば、ポケット部Ｐを構成するネット面1の開放縁部の内側に帯状の雄側（または雌側）のファスナーを取り付け、これに対応して、ネット体Ｑに雌側（または雄側）の帯状のファスナーを取り付けている。
【００４８】
尚、閉止部２として、このような雄雌のファスナーの他に、所定のフックや縛結用の紐材等を用いても良い。
【００４９】
さらに、ポケット部Ｐは、図６（ａ）乃至（ｅ）に示すように、ネット体Ｑに対し、前後に二重に配置されている。
【００５０】
このとき、ポケット部Ｐは、図７に示すように、前側のポケット部Ｐと後側のポケット部Ｐを、縦方向にずらした状態に配置している。また、ポケット部Ｐは、前側のポケット部Ｐと後側のポケット部Ｐを、横方向にずらした状態に配置している。
【００５１】
このように、ポケット部Ｐを前後に二重に配置し、前側のポケット部Ｐと後側のポケット部Ｐを、縦方向にずらした状態に配置していることで、前側に位置している上下のポケット部Ｐに収容している油吸着マット３同士に隙間が存在する場合であっても、後側に位置しているポケット１部に収容している油吸着マット３がその隙間部分に存在することとなる。
【００５２】
また、前側のポケット部Ｐと後側のポケット部Ｐを、横方向にずらした状態に配置していることで、前側に位置している左右のポケット部Ｐに収容している油吸着マット３同士に隙間が存在する場合であっても、後側に位置しているポケット１部に収容している油吸着マット３がその隙間部分に存在することとなる。
【００５３】
その結果、図２・図７に示すように、前側に位置している上下・左右のポケット部Ｐに収容している油吸着マット３同士の隙間を、後側に位置しているポケット部Ｐに収容している油吸着マット３が塞ぐのである。
【００５４】
そのため、前側のポケット部Ｐのネット面1は、後側のポケット部Ｐを構成するネット面1に縫合されるのであるが、このとき前側のポケット部Ｐのネット面1の縫い目と、後側のポケット部Ｐのネット面1の縫い目は、互いに同じ位置にならないようにしている。
【００５５】
例えば、図７に示すように、前側のポケット部Ｐは、後側のポケット部Ｐに対し、縦方向および横方向において、３分の１程度が重なるようにしている。
【００５６】
尚、前側のポケット部Ｐは、後側のポケット部Ｐに対し、縦方向および横方向において、略半分程度が重なるようにしても良い。
【００５７】
このときの閉止部２の構成としては、図６（ａ）に示すように、上側に位置する前後のポケット部Ｐにおけるそれぞれのネット面1の上側開放縁部を互いに干渉しないように延設し、それぞれの先端部に雄側（または雌側）のファスナーを縫合し、このファスナーに対応して、ネット体Ｑに雌側（または雄側）のファスナーが縫合されている。
【００５８】
また、下側に位置する前側のポケット部Ｐにおけるネット面1の上側開放縁部を延設し、その先端部に雄側（または雌側）のファスナーを縫合し、これに対応して、上側に位置する後側のポケット部Ｐにおけるネット面1の下縁部分に雌側（または雄側）のファスナーが縫合されている。
【００５９】
このとき、図６（ａ）に示すように、下側に位置する後側のポケット部Ｐにおけるネット面1は、独自に閉止部２を設けていない。
【００６０】
また、閉止部２の他の例としては、図６（ｂ）に示すように、後側のポケット部Ｐにおけるネット面1の上側開放縁部の内側に雄側（または雌側）のファスナーを縫合し、このファスナーに対応して、ネット体Ｑに雌側（または雄側）のファスナーが縫合されている。そして、後側のポケット部Ｐにおけるネット面1の上側開放縁部の外側に雄側（または雌側）のファスナーを縫合し、このファスナーに対応して、前側のポケット部Ｐにおけるネット面1の上側開放縁部の内側に雌側（または雄側）のファスナーが縫合されている。
【００６１】
或いは、図６（ｃ）に示すように、前側に位置するポケット部Ｐにおけるネット面1の上側開放縁部を、後側に位置するポケット部Ｐにおけるネット面1の上側開放縁部よりも若干長く形成し、それぞれのネット面1の上側開放縁部の内側に雄側（または雌側）のファスナーを縫合し、これらのファスナーに対応して、ネット体Ｑに幅広な雌側（または雄側）のファスナーを縫合しても良い。
【００６２】
さらに、図６（ｄ）に示すように、上側に位置する前側のポケット部Ｐと後側のポケット部Ｐにおけるそれぞれのネット面1の底部外面に段差４を設けると共に、下側に位置する前側のポケット部Ｐにおけるネット面1の上側開放縁部をこの段差４の上方まで延設し、当該ネット面1の上側開放縁部の内側に雄側（または雌側）のファスナーを縫合し、このファスナーに対応して、上側に位置する前側のポケット部Ｐにおけるネット面1の下部に雌側（または雄側）のファスナーを縫合しても良い。
【００６３】
このとき、下側に位置する後側のポケット部Ｐにおけるネット面1の上側開放縁部の内側に雄側（または雌側）のファスナーを縫合し、このファスナーに対応して、ネット体Ｑに雌側（または雄側）のファスナーを縫合する。そして、前側のポケット部Ｐの閉止部２と、後側のポケット部Ｐの閉止部２を、別個に構成している。
【００６４】
或いは、図６（ｅ）に示すように、上側に位置する前側のポケット部Ｐと後側のポケット部Ｐにおけるそれぞれのネット面1の底部外面に段差４を設けると共に、下側に位置する前側のポケット部Ｐにおけるネット面1の上側開放縁部をこの段差４の上方まで延設し、当該ネット面1の上側開放縁部の内側に雄側（または雌側）のファスナーを縫合し、このファスナーに対応して、上側に位置する前側のポケット部Ｐにおけるネット面1の下部に雌側（または雄側）のファスナーを縫合する。
【００６５】
そして、下側に位置する後側のポケット部Ｐにおけるネット面1の上側開放縁部の内側に雄側（または雌側）のファスナーを縫合し、このファスナーに対応して、段差４を形成している上側に位置する後側のポケット部Ｐにおけるネット面1の下部に雌側（または雄側）のファスナーを縫合しても良い。
【００６６】
次に、以上のように構成された本発明の最良の形態について、使用の一例を説明する。
【００６７】
先ず、図２・図５に示すように、ネット体Ｑに布設された複数のポケット部Ｐのそれぞれの閉止部２を開放して、各ポケット部Ｐ内に油吸着マット３を収容した後、それぞれの閉止部２を閉じる。
【００６８】
また、図８に示すように、ネット体Ｑを端から丸めるようにして畳み込んでから、オイルフェンスＲ等が存在する所定の設置箇所まで運搬する。
【００６９】
そして、図１に示すように、格子状に形成されて河川の所定の位置に立設状態に固定されているオイルフェンスＲ等に、ネット体Ｑを設置する。
【００７０】
その結果、河川の水流に対し、複数の油吸着マット３を立設した状態に配置することとなる。
【００７１】
こうして、何等かの理由により油が河川に流出してしまった場合であっても、河川の水流が油吸着マット３の広い板面部分に衝突し、水面の浮遊油が必ず油吸着マット３に接触することから、油吸着マット３により水面の浮遊油を充分に吸着して確実に回収することができるのである。
【００７２】
尚、油流出防止装置Aを使用しない場合には、図８に示すように、ネット体Ｑを端から丸めるようにして畳み込み、所定の場所に保管しておく。
【産業上の利用可能性】
【００７３】
本発明に係る油流出防止装置は、河川のオイルフェンスに設置される他に、海上での油の流出防止等、様々な分野において幅広く利用することができる。
【図面の簡単な説明】
【００７４】
【図１】格子状に形成されて河川の所定の位置に立設状態に固定されているオイルフェンス等に、ネット体を取り付けた油流出防止装置の使用状態を示す斜視図である。
【図２】ネット体に、ポケット部を横２列の帯状に布設している状態を示す正面図である。
【図３】ネット体への、ポケット部の取付状態を示す正面図である。
【図４】ネット体への、ポケット部の取付状態を示す断面図である。
【図５】ネット体のポケット部に、油吸着マットを収容する状態を示す分解斜視図である。
【図６】ネット体へポケット部を二重に配置したもので、（ａ）は上側に二重に配置されているポケット部と下側に二重に配置されているポケット部の閉止部の構成を示す断面図、（ｂ）（ｃ）は二重に配置されているポケット部の閉止部の構成を示す断面図、（ｄ）（ｅ）は下側に二重に配置されているポケット部の閉止部の構成を示す断面図である。
【図７】ポケット部を前後に二重に配置し、前側のポケット部と後側のポケット部を左右と上下にずらして布設し、これらのポケット部に油吸着マットを収容している状態を示す斜視図である。
【図８】ネット体を端から丸めるようにして畳み込んだ状態を示す斜視図である。
【図９】河川において油が流出したときの従来の回収措置を示すもので、（ａ）は水面に浮かべた油吸着マットにより浮遊油を吸着して回収している状態を示す側面図、（ｂ）は油吸着マットがゴミ等の上に乗り上げたような状態となって水面から離れ、水面の浮遊油を吸着することができなくなっている状態を示す側面図である。
【符号の説明】
【００７５】
Ａ…油流出防止装置
Ｐ…ポケット部
Ｑ…ネット体
Ｒ…オイルフェンス
1…ネット面
２…閉止部
３…油吸着マット
４…段差
【図１】
2008240407.tif 000003
【図２】
2008240407.tif 000004
【図３】
2008240407.tif 000005
【図４】
2008240407.tif 000006
【図５】
2008240407.tif 000007
【図６】
2008240407.tif 000008
【図７】
2008240407.tif 000009
【図８】
2008240407.tif 000010
【図９】
2008240407.tif 000011